(57)【要約】【課題】  ユーザが予め画質の劣化が生じるズーム領域を予め認識できるようにして撮影時における画質の劣化を防止し得る、電子カメラ、ズーム領域表示方法、及びプログラムの提供【解決手段】  ズーム領域５０はズーム動作による画質の劣化が生じないズーム領域、つまり、デジタルズーム動作により撮像部から出力される画素数が選択された記録サイズ以上の劣化しないズーム領域５１と、撮像部から出力される画素数が選択された記録サイズ以下となり劣化が生じる劣化する領域５２からなる。また、劣化しないズーム領域５２は光学ズーム動作によりズーム動作を行なう光学ズーム領域５６とデジタルズームによりズーム動作を行なう劣化しないデジタルズーム領域５７が設定され、ズーム動作による画質の劣化のない画像を得ることができる。【選択図】  図４
2006333156.tif 000002
【特許請求の範囲】
【請求項１】
光学ズーム機能およびデジタルズーム機能を備え、被写体を撮影してその画像データを生成し、記録する電子カメラにおいて、
撮影モード時に、画質が劣化しないズーム範囲を示す劣化しないズーム領域と画質の劣化が生じるズーム範囲を示す劣化するズーム領域からなるズーム領域を表示するズーム領域表示手段を備えたことを特徴とする電子カメラ。
【請求項２】
前記ズーム領域表示手段は、前記劣化しないズーム領域と劣化するズーム領域を弁別可能に表示すること特徴とする請求項１に記載の電子カメラ。
【請求項３】
光学ズーム機能およびデジタルズーム機能を備え、撮像素子を介して取り込んだ被写体を撮影してその画像データを生成し、記録する電子カメラにおいて、
撮影開始前に、画質が劣化しないズーム範囲からなる劣化しないズーム領域を設定する第１のズーム領域設定手段と、前記劣化しないズーム領域を含む全ズーム領域を設定する第２のズーム領域設定手段と、
前記第１、または第２のズーム領域設定手段によってズーム領域が設定されると前記劣化しないズーム領域と劣化するズーム領域とからなる全ズーム領域を表示するズーム領域表示手段と、
を備えたことを特徴とする電子カメラ。
【請求項４】
前記第１のズーム領域設定手段は、劣化しないズーム領域としてズームレンズを移動させて光学ズームを行う範囲を示す光学ズーム領域とズーム値に応じて画像サイズを電子的に変化させる範囲のうち画質の劣化が生じない範囲を示す劣化しないデジタルズーム領域からなるズーム領域を設定することを特徴とする請求項３に記載の電子カメラ。
【請求項５】
記録媒体に記録する撮影画像の画素数を設定する記録画素数設定手段を備え、
前記第１のズーム領域設定手段は、前記撮像素子の出力画素数と前記記録画素設定手段によって設定された記録画素数を基にデジタルズームによる前記画質の劣化が生じない範囲を算出して劣化が生じないデジタルズーム領域を設定する手段を含むことを特徴とする請求項３または４に記載の電子カメラ。
【請求項６】
更に、前記劣化しないズーム領域においてワイド端からデジタルズームを優先的に行う領域を設定する第３のズーム領域設定手段を備えたことを特徴とする請求項３または４に記載の電子カメラ。
【請求項７】
前記ズーム領域表示手段は、前記第１、第２、または第３のズーム領域設定手段によるズーム領域設定時にのみ前記劣化しないズーム領域を含むズーム領域を表示することを特徴とする請求項３乃至６のいずれか１項に記載の電子カメラ。
【請求項８】
前記ズーム領域表示手段は、前記前記第１、第２、または第３のズーム領域設定手段によるズーム領域設定時から撮影指示までの間、前記劣化しないズーム領域を含むズーム領域を表示することを特徴とする請求項３乃至６のいずれか１項に記載の電子カメラ。
【請求項９】
光学ズーム機能およびデジタルズーム機能を備え、被写体を撮影してその画像データを生成し、記録する電子カメラにおけるズーム領域表示方法であって、撮影モード時に、画質が劣化しないズーム範囲を示す劣化しないズーム領域と画質の劣化が生じるズーム範囲を示す劣化するズーム領域からなるズーム領域を弁別可能に表示するステップを含むこと特徴とするズーム領域表示方法。
【請求項１０】
光学ズーム機能およびデジタルズーム機能を備え、撮像素子を介して取り込んだ被写体を撮影してその画像データを生成し、記録する電子カメラにおけるズーム領域表示方法であって、
記録媒体に記録する撮影画像の画素数を設定するステップと、
画質が劣化しないズーム範囲からなる劣化しないズーム領域の設定または前記劣化しないズーム領域を含む全ズーム領域の設定のいずれかを選択するステップと、
前記撮像素子の出力画素数と前記設定された記録画素数を基にデジタルズームにより前記画質の劣化が生じない範囲を算出するステップと、
前記ズーム領域の設定がなされると、前記劣化しないズーム領域と劣化するズーム領域とからなる全ズーム領域を表示するステップと、
を含むことを特徴とするズーム領域表示方法。
【請求項１１】
光学ズーム機能およびデジタルズーム機能を備え、撮像素子を介して取り込んだ被写体を撮影してその画像データを生成し、記録する電子カメラにおけるズーム領域表示方法であって、
記録媒体に記録する撮影画像の画素数を設定するステップと、
画質が劣化しないズーム範囲からなる劣化しないズーム領域の設定、または前記劣化しないズーム領域を含む全ズーム領域の設定、または画質が劣化しないズーム範囲においてワイド端からデジタルズームを優先的に行うデジタルズーム優先領域の設定のいずれかを選択するステップと、
前記ズーム領域の設定選択により劣化しないズーム領域の設定または前記全ズーム領域の設定が選択されたとき、撮像素子の出力画素数と前記設定された記録画素数を基にデジタルズームにより前記画質の劣化が生じない範囲を算出するステップと、
前記いずれかのズーム領域の設定がなされると、前記劣化しないズーム領域と劣化するズーム領域を弁別可能とした全ズーム領域を表示するステップと、
を含むことを特徴とするズーム領域表示方法。
【請求項１２】
前記劣化しないズーム領域は、ズームレンズを移動させて光学ズームを行う範囲を示す光学ズーム領域とズーム値に応じて画像サイズを電子的に変化させる範囲のうち画質の劣化が生じない範囲を示す劣化しないデジタルズーム領域からなることを特徴とする請求項１０または１１に記載のズーム領域表示方法。
【請求項１３】
請求項９乃至１２のいずれか１項に記載のズーム領域表示方法を電子カメラのコンピュータに実行させることを特徴とするプログラム。
【発明の詳細な説明】
【技術分野】
【０００１】
本発明は、デジタルカメラ等の電子カメラで静止画や動画を撮影する場合に表示するズーム領域の表示技術に関する。
【背景技術】
【０００２】
デジタルカメラ等の電子カメラでは、撮影レンズを構成している一部のレンズの位置を変えることによって、撮影のための焦点距離・画角を変える光学ズーム機能と撮影レンズで捉えた画面の一部を切り取り、電子的に拡大してズームレンズのような効果を持たせるデジタルズーム機能を備えたものがある。
【０００３】
このような電子カメラで、ワイド側からテレ側にいたるズーム領域で、光学ズームによる撮影を推奨する光学ズーム領域１０１とデジタルズーム（電子ズーム）による撮影を推奨するデジタルズーム領域１０２を液晶表示画面に表示するようにしたものがある（図１０参照）。
【０００４】
デジタルズームでは撮影レンズで捉えた画面の一部を切り取り、電子的に拡大するため、撮像部から読み出される画素数が記録画素数以下になると画質が劣化するという課題がある。このような画質の劣化を防止する技術として撮像部から読み出される画素数が記録画素数以下になると警告表示を行う技術がある（例えば、特許文献１参照）。
【０００５】
上記特許文献１には、被写体像を撮像する撮像装置と、撮像装置から画像データを読出すデータ読出し回路と、撮像装置の撮像領域から所定の領域に対応する画像データを抽出して読出すようにデータ読出し回路に読出し領域を指示する電子ズーム回路と、データ読出し回路により読出された画像データを記録媒体に記録するデータ記録回路と、読出された画像データ数と記録媒体に記録するデータ数とに応じて、記録媒体に記録されるデータによる画像の劣化の有無を判定する判定回路と、この判定回路により画像の劣化が判定されていることを報知する報知回路を備えた電子カメラが開示されており、電子ズーム後に判定回路が撮像装置から読み出される画素数が記録画素数以下と判定した場合に警告表示を行う。  
また、同特許文献１に開示の電子カメラでは、電子ズーム倍率と画質の劣化が生じる電子ズーム倍率を表示する技術も開示されている。
【０００６】
【特許文献１】特開２００２−３０５６７８号公報（段落０００５）
【発明の開示】
【発明が解決しようとする課題】
【０００７】
しかしながら、上記特許文献１に開示の電子カメラでは、デジタルズーム（電子ズーム）後に画質の劣化が生じそうな場合に警告表示（または音声による警告）を行うことはできるが、デジタルズーム前に画質の劣化が生じないように予めユーザに画質の劣化が生じるズーム領域を認識できるようには構成されていないので、ユーザに予め画質の劣化が生ずるズーム指示を行わないようにさせることができないといった課題があった。つまり、画質の劣化が生じそうになって初めて警告を行うのであって、ユーザにズームにより画質の劣化が生じる範囲を予め認識させ、劣化が生じる範囲でのズーム指示を行わせないようにすることはできなかった。
【０００８】
本発明は上記課題を解決するためになされたものであり、ユーザが画質の劣化が生じるズーム領域を予め認識できるようにして撮影時における画質の劣化を防止し得る、電子カメラ、ズーム領域表示方法、及びプログラムの提供を目的とする。
【課題を解決するための手段】
【０００９】
上記課題を解決するために、請求項１に記載の発明では、光学ズーム機能およびデジタルズーム機能を備え、被写体を撮影してその画像データを生成し、記録する電子カメラにおいて、撮影モード時に、画質が劣化しないズーム範囲を示す劣化しないズーム領域と画質の劣化が生じるズーム範囲を示す劣化するズーム領域からなるズーム領域を表示するズーム領域表示手段を備えたことを特徴とする電子カメラを提供する。  
これにより、撮影モードで劣化しないズーム領域を表示するので、どこまでがズームにより画質を落とさない領域かがわかることから、ユーザは表示されているズーム領域に応じてズーム方法の選択および／またはズーム指示を行うことができる。
【００１０】
また、請求項２に記載の発明では、ズーム領域表示手段は、劣化しないズーム領域と劣化するズーム領域を弁別可能に表示すること特徴とする請求項１に記載の電子カメラを提供する。  
これにより、ユーザは劣化しないズーム領域と劣化するズーム領域を視覚的に区別できるので劣化を生じないズーム範囲を認識しやすい。
【００１１】
また、請求項３に記載の発明では、光学ズーム機能およびデジタルズーム機能を備え、撮像素子を介して取り込んだ被写体を撮影してその画像データを生成し、記録する電子カメラにおいて、撮影開始前に、画質が劣化しないズーム範囲からなる劣化しないズーム領域を設定する第１のズーム領域設定手段と、劣化しないズーム領域を含む全ズーム領域を設定する第２のズーム領域設定手段と、第１、または第２のズーム領域設定手段によってズーム領域が設定されると劣化しないズーム領域と劣化するズーム領域とからなる全ズーム領域を表示するズーム領域表示手段と、を備えたことを特徴とする電子カメラを提供する。  
これにより、劣化しないズーム領域を他の領域と区別して設定できるので、劣化しないズーム領域のみを設定すればズーム時に劣化しないズーム領域の範囲を超えたズーム指示ができないようにできる。また、劣化しないズーム領域を他の領域とは区別可能にしてズーム領域を表示できるので、ユーザにとってズーム動作によりどこまでが画質を落とさないかが分かりやすい。  
【００１２】
また、請求項４に記載の発明では、第１のズーム領域設定手段は劣化しないズーム領域としてズームレンズを移動させて光学ズームを行う範囲を示す光学ズーム領域とズーム値に応じて画像サイズを電子的に変化させる範囲のうち画質の劣化が生じない範囲を示す劣化しないデジタルズーム領域とからなるズーム領域を設定することを特徴とする請求項３に記載の電子カメラを提供する。  
これにより、劣化しないズーム領域のみを設定してデジタルズーム時に劣化しないズーム領域の範囲を超えたズーム指示ができないようにできるので、良好な画質の画像を得たい場合に好適である。  
【００１３】
また、請求項５に記載の発明では、記録媒体に記録する撮影画像の画素数を設定する記録画素数設定手段を備え、第１のズーム領域設定手段は、撮像素子の出力画素数と記録画素設定手段によって設定された記録画素数を基にデジタルズームによる画質の劣化が生じない範囲を算出して劣化が生じないデジタルズーム領域を設定する手段を含むことを特徴とする請求項３または４に記載の電子カメラを提供する。  
これにより、選択した記録画素数（記録サイズ）に応じて変動する劣化しないズーム領域を表示できることから、ユーザは記録画素数によって変化する画質の劣化しないズーム範囲を知ることができるので、画質の劣化のない撮影画像を所望する場合には記録画素数を設定し直してテレ側での（デジタルズームによる）画質の低下を防ぐこともできる。
【００１４】
また、請求項６に記載の発明では、更に、劣化しないズーム領域においてワイド端からデジタルズームを優先的に行う領域を設定する第３のズーム領域設定手段を備えたことを特徴とする請求項３または４に記載の電子カメラを提供する。  
これにより、ズーム指示があると、劣化しないズーム領域で光学ズームに先立ってデジタルズームを行うので、ズーム動作が瞬時に行われることから消費電力もわずかであり電池寿命の効率がよい。
【００１５】
また、請求項７に記載の発明では、ズーム領域表示手段は、第１、第２、または第３のズーム領域設定手段によるズーム領域設定時にのみ劣化しないズーム領域を含むズーム領域を表示することを特徴とする請求項３乃至６のいずれか１項に記載の電子カメラを提供する。  
これにより、ズーム設定時に劣化しないズーム領域を表示できるのでユーザにとってどこまでが画質を落とさないかが分かりやすい。また、記録画素数の設定をやり直して劣化するズーム領域の幅を変えて画質の劣化が生じないズームを行えるようにすることもできる。
【００１６】
また、請求項８に記載の発明では、ズーム領域表示手段は、第１、第２、または第３のズーム領域設定手段によるズーム領域設定時から撮影指示までの間、劣化しないズーム領域を含むズーム領域を表示することを特徴とする請求項３乃至６のいずれか１項に記載の電子カメラを提供する。  
これにより、ズーム領域設定時から撮影指示まで劣化しないズーム領域を表示できるのでユーザにとってズーム動作によりどこまでが画質を落とさないかが分かりやすい。
【００１７】
また、請求項９に記載の発明では、光学ズーム機能およびデジタルズーム機能を備え、被写体を撮影してその画像データを生成し、記録する電子カメラにおけるズーム領域表示方法であって、撮影モード時に、画質が劣化しないズーム範囲を示す劣化しないズーム領域と画質の劣化が生じるズーム範囲を示す劣化するズーム領域からなるズーム領域を弁別可能に表示するステップを含むこと特徴とするズーム領域表示方法を提供する。  
これにより、撮影モード時に劣化しないズーム領域と劣化するズーム領域を判別可能に表示するので、ユーザはどこまでがズームにより画質を落とさないズーム領域でどこからが劣化を開始するズーム領域かを容易に認識できる。
【００１８】
また、請求項１０に記載の発明では、光学ズーム機能およびデジタルズーム機能を備え、撮像素子を介して取り込んだ被写体を撮影してその画像データを生成し、記録する電子カメラにおけるズーム領域表示方法であって、記録媒体に記録する撮影画像の画素数を設定するステップと、画質が劣化しないズーム範囲からなる劣化しないズーム領域の設定または劣化しないズーム領域を含む全ズーム領域の設定のいずれかを選択するステップと、撮像素子の出力画素数と設定された記録画素数を基にデジタルズームにより画質の劣化が生じない範囲を算出するステップと、ズーム領域の設定がなされると、劣化しないズーム領域と劣化するズーム領域とからなる全ズーム領域を表示するステップと、を含むことを特徴とするズーム領域表示方法を提供する。  
これにより、選択した記録画素数に応じて劣化しないズーム領域の範囲が変化したズーム領域を表示できることから、ユーザは記録画素数によって変動する画質の劣化しないズーム範囲を知ることができるので、画質の劣化のない撮影画像を所望する場合には記録画素数を設定し直してテレ側での（デジタルズームによる）画質の低下を防ぐこともできる。
【００１９】
また、請求項１１に記載の発明では、光学ズーム機能およびデジタルズーム機能を備え、撮像素子を介して取り込んだ被写体を撮影してその画像データを生成し、記録する電子カメラにおけるズーム領域表示方法であって、記録媒体に記録する撮影画像の画素数を設定するステップと、画質が劣化しないズーム範囲からなる劣化しないズーム領域の設定、または劣化しないズーム領域を含む全ズーム領域の設定、または画質が劣化しないズーム範囲においてワイド端からデジタルズームを優先的に行うデジタルズーム優先領域の設定のいずれかを選択するステップと、ズーム領域の設定選択により劣化しないズーム領域の設定または全ズーム領域の設定が選択されたとき、撮像素子の出力画素数と設定された記録画素数を基にデジタルズームにより画質の劣化が生じない範囲を算出するステップと、いずれかのズーム領域の設定がなされると、劣化しないズーム領域と劣化するズーム領域を弁別可能とした全ズーム領域を表示するステップと、を含むことを特徴とするズーム領域表示方法を提供する。  
これにより、ズーム領域の設定選択で劣化しないズーム領域の設定または全ズーム領域の設定が選択されたときは、撮影時に選択可能な記録画素数に応じて、劣化しないズーム領域の範囲が変化したズーム領域を他の領域とは区別可能にして表示できることから、ユーザは記録画素数によって変動する劣化しないズーム範囲を知ることができるので、記録画素数の選択をやりなおしてテレ側での（デジタルズームによる）画質の低下を防ぐこともできる。また、デジタルズーム優先領域の設定が選択された場合には、ズーム指示があると劣化しないズーム領域で光学ズームに先立ってデジタルズームを行うので、ズーム動作が瞬時に行われることから消費電力もわずかであり電池寿命の効率がよい。
【００２０】
また、請求項１２に記載の発明では、劣化しないズーム領域は、ズームレンズを移動させて光学ズームを行う範囲を示す光学ズーム領域とズーム値に応じて画像サイズを電子的に変化させる範囲のうち画質の劣化が生じない範囲を示す劣化しないデジタルズーム領域からなることを特徴とする請求項１０または１１に記載のズーム領域表示方法を提供する。  
これにより、電子カメラはズーム指示によりズーム動作を行なうが、劣化しないズーム領域を設定するとズーム動作は劣化しないズーム領域の範囲内でのみ行なうので良好な画質の画像を得たい場合に好適である。
【００２１】
また、請求項１３に記載の発明では、請求項９乃至１２のいずれか１項に記載のズーム領域表示方法を電子カメラのコンピュータに実行させることを特徴とするプログラムを提供する。  
これにより、電子カメラは撮影モード時に劣化しないズーム領域を表示できる。したがって、ズーム中にどこまでが画質を落とさない領域かがわかることから、ユーザは表示されているズーム領域に応じて予めズーム方法の選択および／またはズーム指示を行うことができる。
【発明の効果】
【００２２】
本発明によれば、劣化しないズーム領域を表示するのでズーム中にどこまでが画質を落とさない領域かがわかることから、ユーザは表示されているズーム領域に応じて予めズーム方法の選択および／またはズーム指示を行うことができる。
【発明を実施するための最良の形態】
【００２３】
図１は本発明に係る電子カメラの一実施例であるデジタルカメラの外観を示す図であり、図１（ａ）は正面図、図１（ｂ）は背面図、図１（ｃ）は上面図である。  
デジタルカメラ１は図１（ａ）に示すように正面側に撮像レンズ２を有している。また、デジタルカメラ１の背面には図１（ｂ）に示すように、モードダイアル３、液晶モニタ画面４、カーソルキー５、ＳＥＴキー６、メニューキー１０等が設けられている。また、上面には図１（ｃ）に示すようにズームレバー７、シャッターキー８及び電源ボタン９が設けられ、図示されていないが側部にはパーソナルコンピュータ（以下、パソコン）やモデム等の外部装置とＵＳＢケーブルに接続する場合に用いるＵＳＢ端子接続部が設けられている。
【００２４】
図２は、図１に示したデジタルカメラの電子回路構成の一実施例を示す図である。図２で、デジタルカメラ１は、基本モードである撮影モードにおいて、ズームレンズ１２−１を移動させて光学ズーム動作を行わせるズーム駆動部１１−１、フォーカスレンズ１２−２を移動させて合焦動作を行わせるＡＦ駆動部１１−２、ズームレンズ１２−１及びフォーカスレンズ１２−２を含む撮像レンズ２を構成するレンズ光学系１２、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１、制御部２２、ＶＲＡＭコントローラ２３、ＶＲＡＭ２４、デジタルビデオエンコーダ２５、表示部２６、ＪＰＥＧ回路２７、保存メモリ２８、キー入力部３０等を備えている。なお、撮影時に、フォーカスレンズ１２−２はズームレンズ１２−１とは無関係に動作する。また、ＡＦ駆動部１１〜カラープロセス回路１８は本発明において撮像部に相当し、ズーム駆動部１１−１及びズームレンズ１２−１は本発明において光学ズーム手段に相当する。
【００２５】
撮影モードでのモニタリング状態においては、ズーム駆動部１１−１は光学ズーム指示があると図示しないズームレンズ駆動モータを駆動してズームレンズ１２−１を移動させる。また、ＡＦ駆動部１１−２は図示しないフォーカスレンズ駆動モータを駆動してフォーカスレンズ１２−２を移動させる。上記撮影レンズ２を構成する光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１画面分出力する。
【００２６】
ＣＣＤ１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００２７】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータ（画素）に変換され、カラープロセス回路１８で画像補間処理及びγ補正処理を含むカラープロセス処理が行われて、デジタル値の輝度信号Ｙ及び色差信号Ｃｂ、Ｃｒが生成され、ＤＭＡ（Direct Memory  Access）コントローラ１９に出力される。出力される画素数はＣＣＤ１３の規格によって異なるが一般に記録画素数より多い。
【００２８】
ＤＭＡコントローラ１９は、カラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いてＤＲＡＭインターフェイス（Ｉ／Ｆ）２０を介してバッファメモリとして使用されるＤＲＡＭ２１にＤＭＡ転送する。  
【００２９】
制御部２２は、このデジタルカメラ１全体の制御動作を司るものであり、ＣＰＵ若しくはＭＰＵ（以下、ＣＰＵ）と、後述するように記録モード（撮影モード）時のズーム動作制御を含む該ＣＰＵで実行される動作プログラムを記憶したフラッシュメモリ等のプログラム格納メモリ、及びワークメモリとして使用されるＲＡＭ等により構成され、上記輝度及び色差信号のＤＲＡＭ２１へのＤＭＡ転送終了後に、この輝度及び色差信号をＤＲＡＭインターフェイス２０を介してＤＲＡＭ２１から読出し、ＶＲＡＭコントローラ２３を介してＶＲＡＭ２４に書込む。
【００３０】
制御部２２は、また、キー入力部３０からの状態信号に対応してフラッシュメモリ等のプログラム格納用メモリに格納されている各モードに対応の処理プログラムやメニューデータを取り出して、デジタルカメラ１の他の各機能の実行制御、例えば、設定された撮影モードに対応するズームレンズの移動範囲（以下、ズーム領域）でのズーム動作の他、デジタルズーム指示によるデジタルズーム処理、スルー表示、自動合焦、撮影、記録、及び記録した画像の再生・表示等の実行制御等や機能選択時の機能選択メニューの表示制御、設定画面の表示制御、ズーム領域の表示制御、等を行う。  
【００３１】
デジタルビデオエンコーダ２５は、上記輝度及び色差信号をＶＲＡＭコントローラ２３を介してＶＲＡＭ２４から定期的に読み出し、これらのデータを基にビデオ信号を生成して上記表示部２６に出力する。
【００３２】
表示部２６は、上述したように撮影モード時にはモニタ表示部（電子ファインダ）として機能するもので、デジタルビデオエンコーダ２５からのビデオ信号に基づいた表示を行うことで、その時点でＶＲＡＭコントローラ２３から取込んでいる画像情報に基づく画像をリアルタイムに液晶モニタ画面４に表示することになる。
【００３３】
制御部２２は合焦指示に応じてその時点でＣＣＤ１３から取込んでいる１画面分の輝度及び色差信号のＤＲＡＭ２１へのＤＭＡ転送の終了後、直ちにＣＣＤ１３からのＤＲＡＭ２１への経路を停止し、記録保存の状態に遷移する。
【００３４】
この保存記録の状態では、制御部２２がＤＲＡＭ２１に書込まれている１フレーム分の輝度及び色差信号をＤＲＡＭインターフェイス２０を介してＹ、Ｃｂ、Ｃｒの各コンポーネント毎に縦８画素×横８画素の基本ブロックと呼称される単位で読み出してＪＰＥＧ（Joint Photograph cording Experts Group）回路２７に書込み、このＪＰＥＧ回路２７でＡＤＣＴ（Adaptive Discrete Cosine Transform：適応離散コサイン変換）、エントロピ符号化方式であるハフマン符号化等の処理によりデータ圧縮する。  
そして得た符号データを１画像のデータファイルとしてＪＰＥＧ回路２７から読出し、デジタルカメラ１００の記録媒体として着脱自在に装着されるメモリカード２８か内蔵メモリ２９のいずれか一方に記録保存する。  
そして１フレーム分の輝度及び色差信号の圧縮処理及びメモリカード２８または内蔵メモリ２９への全圧縮データの書込み終了に伴って、制御部２２はＣＣＤ１３からＤＲＡＭ２１への経路を再び起動する。
【００３５】
また、基本モードである再生モード時には、制御部２２がメモリカード２８又は内蔵メモリ２９に記録されている画像データを選択的に読出し、ＪＰＥＧ回路２７で画像撮影モード時にデータ圧縮した手順とまったく逆の手順で圧縮されている画像データを伸張し、伸張した画像データをＶＲＡＭコントローラ２３を介してＶＲＡＭ２４に展開して記憶させた上で、このＶＲＡＭ２４から定期的に読出し、これらの画像データを元にビデオ信号を生成して表示部２６で再生出力させる。
【００３６】
上記ＪＰＥＧ回路２７は複数の圧縮率に対応しており、圧縮率に対応させて記憶するモードには圧縮率の低い高解像度（一般に、高精細、ファイン、ノーマルなどと呼ばれる）に対応するモードと圧縮率の高い低解像度（一般にエコノミーなどと呼ばれる）モードがある。  
また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）、ＱＶＧＡ（３２０×２４０）等と呼ばれる記録画素サイズがある。
【００３７】
保存メモリ２８は、内蔵メモリ（フラッシュメモリ）やハードディスク、あるいは着脱可能なメモリカード等の記録媒体からなり画像データや撮影情報等を保存記録する。
【００３８】
キー入力部３０は、上述したモードダイアル３、カーソルキー５、ＳＥＴキー６、ズームレバー７、シャッターキー８、電源ボタン９、メニューキー１０等から構成され、それらのキー操作に伴う信号は直接制御部２２に送出される。
【００３９】
モードダイアル３は記録モードと再生モードを切り替えるものである。カーソルキー５はモード設定やメニュー選択等に際して液晶モニタ画面４に表示されるメニューやアイコン等をカーソルでポイント（指定）する際に操作するキーであり、カーソルキー５の操作によりカーソルを上下又は左右に移動させることができる。  
また、ＳＥＴキー６はカーソルキー５によってカーソル表示されている項目を選択設定若しくは確認する際に押すキーである。
【００４０】
ズームレバー７は、ズーム操作に用いられ、光学ズームの場合はズームレバー７の操作に対応してズームレンズ（可変焦点距離レンズ）１２−１がワイド側又はテレ側に移動され、ズームレバー７の操作に対応してズーム値が決定され、ズーム値の変化に追従して画角が実際に変化し、液晶モニタ画面４にはワイド（広角）画像又はテレ（望遠）画像が表示される。また、デジタルズームの場合はズームレバー７の操作に対応してズーム値が決定されるが、実際の画角は変化せず、液晶モニタ画面４にはズーム値に応じたサイズの画像がトリミングされて表示される。従って、ズーム値が大きくて撮像部から出力される画素数が記録画素数以下になると画質が劣化することとなる。
【００４１】
シャッターキー８は、撮影時にレリーズ操作を行うもので、２段階のストロークを有しており、１段目の操作（半押し状態）でオートフォーカス（ＡＦ）と自動露出（ＡＥ）を行わせるための合焦指示信号を発生し、２段目の操作（全押し状態）で撮影処理を行うための撮影指示信号を発生する。  
また、メニューキー１０は選択メニューや設定値を表示する場合に用いるキーであり、メニューキー１０を押すと、押した時点で選択可能なメニューや設定値が表示される。
【００４２】
図３はズーム領域設定用画面の一実施例を示す図であり、ズーム領域設定用画面４０は撮影モード選択時にメニューキー１０を押すと表示される設定メニューの一つとして表示され、ユーザが設定メニューのうちのデジタルズームメニューを選択すると、図示のように、記録サイズ（記録画素数）４１およびズーム領域設定メニュー４２が表示され、ユーザがズーム領域設定メニューのうち所望のメニューを選択すると記録サイズ４１および表示されているズーム領域４３のうち、選択されたメニューに応じたズーム領域が設定される。
【００４３】
記録サイズ４１は撮影モード選択時にメニューキー１０を押すと表示される設定メニューの一つのうちの記録サイズ設定メニュー（図示せず）で選択することができる。記録サイズは、デジタルカメラ１の機種によって規定されている各記録画素サイズ、例えば、前述したＳＸＧＡ（１６００×１２００）、ＸＧＡ（１０２４×７８６）、ＳＶＧＡ（８００×６００）、ＶＧＡ（６４０×４８０）、ＱＶＧＡ（３２０×２４０）のなかから選択することができる。
【００４４】
ズーム領域設定メニュー４２は、図示の例では「劣化しないズーム領域設定」メニュー、「全領域設定」メニュー、「デジタルズーム優先設定」メニューの３メニューであり、「劣化しないズーム領域設定」メニューを選択すると図４や図５に示すズーム領域５０、６０のうち「劣化しないズーム領域」５１、６１が設定され、「全領域設定」メニューを選択すると全ズーム領域５０、６０が設定され、「デジタルズーム優先設定」メニューを選択すると図６に示すように「劣化しないズーム領域」６１においてデジタルズームを先に行うようにズーム領域が設定される。
【００４５】
図４はズーム領域表示方法の一実施例を示す図であり、図５はデジタルズーム優先設定の場合に表示されるズーム領域表示例を示す図である。図４で、ズーム領域５０はズーム動作による画質の劣化が生じないズーム領域、つまり、デジタルズーム動作により撮像部から出力される画素数が選択された記録サイズ以上の劣化しないズーム領域５１と、撮像部から出力される画素数が選択された記録サイズ以下となり劣化が生じる劣化する領域５２からなる。
【００４６】
図３のズーム領域設定用画面４０で劣化しないズーム領域設定」を選択すると図示のように光学ズーム動作によりズーム動作を行なう光学ズーム領域５６とデジタルズームによりズーム動作を行なう劣化しないデジタルズーム領域５７が設定される。つまり、ワイド端から光学ズーム領域５６全体とデジタルズーム領域５７の一部がズーム領域として設定され、撮影時のズーム動作は、劣化しないズーム領域５１に限定される。したがって、「劣化しないズーム領域設定」を選択するとズーム動作による画質の劣化のない画像を得ることができる。
【００４７】
また、図３のズーム領域設定用画面４０で「全領域設定」を選択すると、図４に示すズーム領域５０全体、つまり、ワイド端からテレ端全域（光学ズーム領域５６全体と劣化する部分を含むデジタルズーム領域５８）がズーム領域として設定され、撮影時のズーム動作は、劣化しないズーム領域５１だけでなく、デジタルズームによって劣化の生じる劣化するズーム領域５２もむので、デジタルズーム時にズーム倍率によっては画質の劣化が生じる場合がある。
【００４８】
一方、図３のズーム領域設定用画面４０で「デジタルズーム優先設定」を選択すると図６に示すようなズーム領域６０が表示される。ズーム領域６０はズーム動作による画質の劣化、つまり、デジタルズーム動作により撮像部から出力される画素数が選択された記録サイズ以上の劣化しないズーム領域６１と、撮像部から出力される画素数が選択された記録サイズ以下となり劣化するズーム領域６２からなる。
【００４９】
図３のズーム領域設定用画面４０で「デジタルズーム優先設定」を選択してから「劣化しないズーム領域設定」を選択すると、図示のようにデジタルズームによりズーム動作を行なうデジタルズーム領域６６と光学ズーム動作によりズーム動作を行なう光学ズーム領域６７が設定され、撮影時のズーム動作は、劣化しない範囲でデジタルズームを先に行い、その後光学ズームを行う。たがって、ズーム動作による画質の劣化のない画像を得ることができる。
【００５０】
また、「デジタルズーム優先設定」を選択してから「全領域設定」を選択すると、ワイド端からテレ端全域（ワイド側でのデジタルズーム領域６６と光学領域６７及び劣化するデジタルズーム領域６８）がズーム領域として設定され、撮影時のズーム動作は、劣化しない範囲でデジタルズームを先に行い、その後、光学ズームを行う。更にズーム指示があると劣化するデジタルズームを行う。なお、図５の例では、劣化するズーム領域６２と劣化するデジタルズーム領域６８は一致している場合を示したが、これに限定されない。つまり、デジタルズーム領域の決め方で劣化するズーム領域≦劣化するデジタルズーム領域となる。
【００５１】
上述した「デジタルズーム優先設定」を行うことにより、劣化しないズーム範囲で光学ズームに先立ってデジタルズームを行うので、（１）ズーム動作が瞬時に行われる、（２）消費電力もわずかであり電池寿命の効率がよい、（３）光学ズームの場合のようにモータのズーム音が記録されないといったメリットがある。
【００５２】
図６は記録サイズによって異なる劣化しないズーム領域の説明図であり、図６（ａ）に記録サイズ設定が大きい場合の劣化しないズーム領域の例を示し、図６（ｂ）に記録サイズ設定が小さいときの劣化しないズーム領域の例を示す。  
図６で符号４３は表示されるズーム領域（全体）、符号７０、７５は劣化しないズーム領域、符号７１、７６は光学ズーム領域、符号７２、７７はデジタルズーム領域、符号７３は記録サイズが小さい場合に広がるデジタルズームでの劣化しない部分である。
つまり、記録サイズが大きい場合のデジタルズーム領域７２に比べ記録サイズが小さい場合はデジタルズーム領域７７の範囲が拡大するので、記録サイズが小さい場合の劣化しないズーム領域７５（図６（ｂ））のズーム範囲は記録サイズが大きい場合の劣化しないズーム領域７０（図６（ａ））のズーム範囲より広くなる。
【００５３】
このように、記録サイズが小さい場合（例えば、（３２０×２４０））は劣化しないでデジタルズームできる領域が広がり、記録サイズが大きい場合は劣化しないでデジタルズームできる領域が狭くなるので、図３のズーム領域設定用画面４０の下欄やスルー画像の一部に表示するズーム領域表示のうち、劣化しないズーム領域の幅を記録サイズに応じて劣化しないデジタルズーム領域の変化に応じて伸縮させて表示するようにすることが望ましい。
【００５４】
図７は撮影モード（記録モード）におけるデジタルカメラ１の動作概要を示すフローチャートであり、このフローチャートはデジタルカメラ１に本願発明のズーム領域表示機能を実現させるためのプログラムを説明するためのものである。  
以下に示す処理は基本的に制御部２２が予めフラッシュメモリ等のプログラムメモリに記憶されたプログラムに従って実行する例で説明するが、全ての機能をプログラムメモリに格納する必要はなく、必要に応じて、その一部若しくは全部をネットワークを介して受信して実現するようにしてもよい。以下、図１〜図７に基いて説明する。
【００５５】
ユーザの電源ボタン９の操作によりデジタルカメラ１の主電源がオンになり、ユーザがモードダイアル３を操作して撮影モードを選択したあとメニューキー１０を押すと、制御部２２は表示部２６にメニューデータを送り、撮影モード下で選択可能なメニュー（図示せず）を表示してユーザに選択を促す（ステップＳ１）。
【００５６】
ユーザがカーソルキー５を操作（以下、カーソル操作）して記録サイズ選択メニューを選択すると、制御部２２は選択可能な記録画素数（例えば、ＳＸＧＡ（１６００×１２００）、ＸＧＡ（１０２４×７８６）、ＳＶＧＡ（８００×６００）、ＶＧＡ（６４０×４８０）、ＱＶＧＡ（３２０×２４０）を液晶モニタ画面４に表示し、ユーザの選択を促すので、ユーザが所望の記録画素数をカーソル操作により選択すると（ステップＳ２）、制御部２２は選択された記録画素数を記録サイズとして設定（ＲＡＭ等のメモリに確保されるズーム領域等設定エリア８０（図８）の記録サイズ欄８２に格納）する。なお、記録サイズ選択メニューを選択して記録サイズを設定しない場合は標準の記録サイズ（例えば、８００×６００）を設定する（ステップＳ３）。
【００５７】
ユーザが再びメニューキー１０を押すと、制御部２２は表示部２６にズーム領域設定用のメニューデータを送って液晶画面４に選択可能なメニュー（図示せず）を表示してユーザに選択を促す。そして、入力部３０からの信号を調べ、ユーザが選択メニューの中から「ズーム領域」設定メニューを選択するとステップＳ５に進み、そうでない場合はステップＳ６に進む（ステップＳ４）。
【００５８】
制御部２２は図３に示したようなズーム領域設定用画面を表示して入力部３０からの信号を調べ、ユーザがカーソル操作によりズーム領域設定メニューのいずれか一つを選択すると、図９のズーム領域選択・設定動作例に示すような動作で、選択された設定メニューに応じたズーム領域を設定（ズーム領域等設定エリア８０（図８）に格納）してＳ７に進む（Ｓ５）。
【００５９】
上記ステップＳ４で「ズーム領域」設定メニューを選択しなかった場合は、ズーム領域５０全域をズーム領域として設定（ズーム領域等設定エリア８０（図８）に格納）してステップＳ７に進む（ステップＳ６）。
【００６０】
制御部２２は、その時点のズーム値に対応した焦点距離でスルー画像用のＡＥ処理を実行しカラープロセス回路１８でＣＣＤ１３から画像データを得ると共にホワイトバランス（ＡＷＢ）処理を施した上でＤＭＡコントローラ１９及びＤＲＡＭインターフェイス（Ｉ／Ｆ）２０を介してＤＲＡＭ２１へのＤＭＡ転送を開始すると共にＶＲＡＭ２４をＣＣＤ１３からの画像データを間引いたビデオスルー画像データで書き換えて表示部２６の液晶モニタ画面４へのスルー画像表示を開始する。なお、この際、スルー画像が表示されている画面上に上記ステップＳ５またはＳ６で設定されたズーム領域（劣化しないズーム領域、劣化するズーム領域等）を設定されないズーム領域と区別可能に表示したズーム領域表示（図３の符号４３、図４、図５参照）を表示するようにしてもよい（ステップＳ７）。
【００６１】
制御部２２は入力部３０からの信号を調べ、ズーム指示があったか否か（ズームレバー７の操作の有無）を調べ、ズーム指示があった場合はステップＳ９に進み、ズーム指示がない場合はステップＳ１０に進む（ステップＳ８）。
【００６２】
ズーム指示がある場合は、上記ステップＳ５またはＳ６で設定されたズーム領域（図４、図５、図８参照）を基にズーム処理を行なってからステップＳ１０に進む（ステップＳ９）。
【００６３】
制御部２２は、撮影・記録処理（つまり、合焦動作（自動合焦、の場合はシャッターキー８の半押しによる自動合焦処理）、シャッターキー８の全押しによる撮影、撮影画像データの圧縮および保存メモリ２８への記録処理等）を行って１フレーム分の画像の撮影を終了しステップＳ７に戻る（ステップＳ１０）。
【００６４】
上記図７のフローチャートではステップＳ１０の説明に示すように静止画撮影の場合を例としたが、本発明は動画撮影にも適用できる。つまり、図７のステップＳ１を撮影モードで動画を選択した場合に選択可能なメニューを選択するステップとしてユーザがズーム領域設定メニューを選択するとステップＳ２に進み、ステップＳ２〜Ｓ９を実行し、ステップＳ１０で動画撮影指示（例えば、シャッターキー８の全押し）で動画の１コマを撮影してそれぞれＤＲＡＭ２０に記憶してステップＳ７に戻り、動画撮影終了指示があるとＤＲＡＭ２０に記憶した全動画データを圧縮した圧縮ファイルを作成して保存メモリ２８に記憶するようにすればよい。
【００６５】
図８はズーム領域等設定エリアの構成例を示図であり、図８（ａ）〜（ｄ）において、符号８０はズーム領域等設定エリアである。符号８１は指定領域区分欄であり指定領域を識別する識別情報が格納される。図示の例では、「劣化しないズーム領域設定」の場合の指定領域区分＝「１」、「全領域設定」の場合の指定領域区分＝「２」、「デジタルズーム優先設定」の場合の指定領域区分＝「３」としている。また、指定領域区分＝「４」は「デジタルズーム優先」で「劣化しないズーム領域」の設定も行うようにした場合のズーム領域等設定エリアの構成例を示す。記録サイズ欄８２には図７のステップＳ３において、ステップＳ２で選択された記録サイズが格納される。
【００６６】
図８（ａ）、（ｂ）で、光学ズーム領域欄８２にはユーザのズーム操作により光学ズームを行うズーム領域の範囲（ズーム範囲：０〜ａ（ｍ））が格納される。なお、光学ズーム領域の範囲は画質上の要請およびズーム速度等から記録サイズに応じて設計定められた値が格納されるが、ユーザが適宜設定できるようにしてもよい（例えば、図３のズーム領域欄４３で劣化しないズーム領域の範囲でカーソル操作により設定できるように構成してもよい）。  
劣化しないデジタルズーム領域８３にはユーザのズーム操作によりデジタルズームを行うズーム領域の範囲（ズーム範囲：ａ（ｍ）〜ｂ（ｍ））が格納される。なお、劣化しないデジタルズーム領域の範囲は設定された記録サイズに応じて設定される。また、「劣化しないズーム領域」設定を行った場合は０〜ｂ（ｍ）の範囲でデジタルズームが可能となり、範囲外（つまり、ｂ（ｍ）〜∞）の領域はズーム指示不可となる。  
「全領域」設定を行った場合は更に劣化するデジタルズーム領域欄８４にユーザのズーム操作により更にデジタルズーム可能なズーム領域の範囲（ズーム範囲：ｂ（ｍ）〜∞）が格納される。なお、「劣化するズーム領域」設定を行った場合はａ（ｍ）〜∞範囲でもデジタルズームが可能となるが、ｂ（ｍ）〜∞のズーム領域では画質が劣化する。
【００６７】
図８（ｃ）、（ｄ）で、デジタルズーム領域８６にはユーザのズーム操作によりデジタルズームを行うズーム領域の範囲（ズーム範囲：０〜α（ｍ））が格納される。また、デジタルズーム領域の範囲は画質上の要請等から記録サイズに応じて設計上決定された値が格納されるが、ユーザが適宜設定できるようにしてもよい（例えば、図３のズーム領域欄４３でカーソル操作により設定できるように構成してもよい）。  
光学ズーム領域欄８７にはユーザのズーム操作により光学ズームを行うズーム領域の範囲（ズーム範囲：α（ｍ）〜β（ｍ））が格納される。また、光学ズーム領域の範囲は画質上の要請およびズーム速度等から記録サイズに応じて設計上決定された値が格納されるが、ユーザが適宜設定できるようにしてもよい（例えば、劣化しないズーム領域の範囲でカーソル操作により設定できるように構成してもよい）。また、この場合、光学ズームの領域外（β（ｍ）〜∞）ではズーム指示不可となる。  
「デジタルズーム優先」設定で「全領域」設定を行った場合は光学ズームの後にデジタルズームが可能となる劣化するデジタルズーム領域８８の範囲（ズーム範囲：β（ｍ）〜∞）が格納され、ユーザのズーム操作により、光学ズームの後にβ（ｍ）〜∞の範囲でもデジタルズームが可能となるが画質は劣化する。  
【００６８】
図９はズーム領域選択・設定動作例、つまり、図７のフローチャートのステップＳ５の詳細な動作例を示すフローチャートである。  
【００６９】
図７のステップＳ４で、ユーザがメニューキー１０を押し、液晶モニタ画面４に表示され選択メニューの中から「ズーム領域設定」メニューを選択すると、制御部２２は表示部２６にズーム領域設定画面用データを送って図３に示したようなズーム領域設定用画面４０を液晶モニタ画面４に表示させ、ユーザの選択を促す。図３の例では選択された記録サイズとして６４０×４８０が、ズーム領域設定メニューとして「劣化しないズーム領域設定」メニュー、「全領域設定」メニュー、「デジタルズーム優先設定」メニューの３つが表示される（ステップＳ５−１）。
【００７０】
制御部２２はキー入力部３０からの信号を調べ、ユーザがカーソル操作により、「劣化しないズーム領域設定」メニューを選択した場合はステップ５−３に進み、「全領域設定」メニューを選択した場合はステップＳ５−６に進み、「デジタルズーム優先設定」メニューを選択した場合はステップＳ５−９に進む。なお、設定メニューが選択されない場合（つまり、終了ボタン４４が選択された場合）は「全領域設定」メニューが選択されたものとしてステップＳ５−６に進む（ステップＳ５−２）。
【００７１】
「劣化しないズーム領域設定」メニューが選択された場合は、制御部２２は表示部２６にズーム領域表示用データを送ると共に、ＣＣＤ１３からの出力画素数ＯＧと上記ステップＳ２で選択された記録サイズの画素数ＭＧから劣化しないでデジタルズームできるデジタルズーム領域５７の幅Ｗの増分ΔＤＷを算出してズーム領域表示用データのデジタルズーム領域５７の幅Ｗに加えてから（ステップＳ５−３）、ズーム領域設定用画面４０（図３）の下部のズーム領域表示欄４３にズーム領域５０を図４に示すように劣化しないズーム領域５１と劣化する領域５２に区分して表示し（ステップＳ５−４）、ズーム領域５０のうちの「劣化しないズーム領域」５１をズーム領域として設定する。つまり、図８に示したようなズーム領域等設定エリア８０の指定領域区分欄８１に「１」を格納し、光学ズーム領域欄８２に光学ズームを行うズーム領域の範囲（ズーム範囲：０〜ａ（ｍ））を格納し、劣化しないデジタルズーム領域欄８３にデジタルズームを行うズーム領域の範囲（ズーム範囲：ａ（ｍ）〜ｂ（ｍ））を格納してステップＳ７に進む（ステップＳ５−５）。
【００７２】
上記ステップＳ５−２で「全領域設定」メニューが選択された場合は、制御部２２は表示部２６にズーム領域表示用データを送ると共に、ＣＣＤ１３からの出力画素数ＯＧと上記ステップＳ２で選択された記録サイズの画素数ＭＧから劣化しないでデジタルズームできるデジタルズーム領域５７の幅Ｗの増分ΔＤＷを算出してズーム領域表示用データのデジタルズーム領域５７の幅Ｗに加えてから（ステップＳ５−６）、ズーム領域設定用画面４０（図３）の下部のズーム領域表示欄４３にズーム領域５０を図４に示すように劣化しないズーム領域５１と劣化する領域に区分して表示し（ステップＳ５−７）、ズーム領域５０全体をズーム領域として設定する。つまり、図８に示したようなズーム領域等設定エリア８０の指定領域区分欄８１に「２」を格納し、光学ズーム領域欄８２に光学ズームを行うズーム領域の範囲（ズーム範囲：０〜ａ（ｍ））を格納し、劣化しないデジタルズーム領域欄８３にデジタルズームを行うズーム領域の範囲（ズーム範囲：ａ（ｍ）〜ｂ（ｍ））を格納し、劣化するデジタルズーム領域欄８４にデジタルズームを行うズーム領域の範囲（ズーム範囲：ｂ（ｍ）〜∞）を格納してステップＳ７に進む（ステップ５−８）。
【００７３】
上記ステップＳ５−２で「デジタルズーム優先設定」メニューが選択された場合は、制御部２２は、更に、「劣化しないズーム領域設定」メニューまたは「全領域設定」メニューの（点滅表示等で）選択を促し、ユーザがカーソル操作で「劣化しないズーム領域設定」メニューを選択するとステップＳ５−１０に進み、「全領域設定」メニューまたは設定メニューが選択されない場合（つまり、終了ボタン４４が選択された場合）はステップＳ１１に進む（Ｓ５−９）。
【００７４】
上記ステップＳ５−９で選択された設定メニューが「劣化しないズーム領域設定」メニューであった場合は図５に示したようなズーム領域６０を図５に示すように劣化しないズーム領域６１と劣化する領域６２に区分して表示し（ステップＳ５−１０）、ズーム領域６０のうちの「劣化しないズーム領域」６１をズーム領域として設定する。つまり、図８に示したようなズーム領域等設定エリア８０の指定領域区分欄８１に「３」を格納し、デジタルズーム領域欄８６にデジタルズームを行うズーム領域の範囲（ズーム範囲：０〜α（ｍ）を格納し、光学ズーム領域欄８７に光学ズームを行うズーム領域の範囲（ズーム範囲：α（ｍ）〜β（ｍ））を格納してステップＳ７に進む（Ｓ５−１１）。
【００７５】
上記ステップＳ５−９で「全領域設定」メニューが選択されたか設定メニューが選択されなかった場合は図５に示したようなズーム領域６０を図５に示すように劣化しないズーム領域６１と劣化する領域６２に区分して表示し（ステップＳ５−１２）、ズーム領域６０全域をズーム領域として設定する。つまり、図８に示したようなズーム領域等設定エリア８０の指定領域区分欄８１に「４」を格納し、デジタルズーム領域欄８６にデジタルズームを行うズーム領域の範囲（ズーム範囲：０〜α（ｍ）を格納し、光学ズーム領域欄８７に光学ズームを行うズーム領域の範囲（ズーム範囲：α（ｍ）〜β（ｍ））を格納し、劣化するデジタルズーム領域欄８７にデジタルズームを行うズーム領域の範囲（ズーム範囲：ベータ（ｍ）〜∞）を格納してステップＳ７に進む（Ｓ５−１３）。
【００７６】
上記図７および図９のフローチャートに示した動作により、ズーム設定時（またはズーム設定時および／またはスルー画像表示時）に劣化しないズーム領域を他の領域とは区別可能にしてズーム領域を表示できるので、ユーザにとってズーム動作によりどこまでが画質を落とさないかが分かりやすい。  
また、劣化しないズーム領域のみを設定し、ズーム時に劣化しないズーム領域の範囲を超えたズーム指示ができないようにできるので、良好な画質の画像を得たい場合に好適である。  
更に、選択された記録サイズ（記録画素数）に応じて劣化しないズーム領域の範囲が変化したズーム領域を表示できることから、ユーザは記録サイズによって変化する画質の劣化しないズーム範囲を知ることができるので、記録サイズを小さくしてテレ側での（デジタルズームによる）画質の低下を防ぐこともできる。
【００７７】
以上、本発明のいくつかの実施例について説明したが本発明は上記各実施例に限定されるものではなく、種々の変形実施が可能であることはいうまでもない。
【図面の簡単な説明】
【００７８】
【図１】本発明に係るカメラの一実施例としてのデジタルカメラの外観を示す図である。
【図２】図１に示したデジタルカメラの電子回路構成の一実施例を示す図である。
【図３】ズーム領域設定用画面の一実施例を示す図である。
【図４】ズーム領域表示方法の一実施例を示す図である。
【図５】デジタルズーム優先設定の場合に表示されるズーム領域表示例を示す図である。
【図６】記録サイズによって異なる劣化しないズーム領域の説明図である。
【図７】記録モードにおけるデジタルカメラの動作概要を示すフローチャートである。
【図８】ズーム領域等設定エリアの構成例を示す図である。
【図９】ズーム処理動作例（図７のフローチャートのステップＳ５の詳細な動作例）を示すフローチャートである。
【図１０】ズーム領域表示方法の従来例を示す図である。
【符号の説明】
【００７９】
１  デジタルカメラ（電子カメラ）
２２  制御部（第１のズーム領域設定手段、第２のズーム領域設定手段、第３のズーム領域設定手段）
２６  表示部（ズーム領域表示手段）
５１、６１、７０、７５  劣化しないズーム領域
５２、６２、６８  デジタルズーム領域（劣化するズーム領域）
５６、６７  光学ズーム領域
５７  デジタルズーム領域（劣化しないデジタルズーム領域）
６６  デジタルズーム領域（デジタルズームを優先的に行う領域）
【図１】
2006333156.tif 000003
【図２】
2006333156.tif 000004
【図３】
2006333156.tif 000005
【図４】
2006333156.tif 000006
【図５】
2006333156.tif 000007
【図６】
2006333156.tif 000008
【図７】
2006333156.tif 000009
【図８】
2006333156.tif 000010
【図９】
2006333156.tif 000011
【図１０】
2006333156.tif 000012